(57)【要約】【課題】ペン先を保護する機能が十分にあり、ペン先頂点部が潰れたり軟化したりしにくく、長期にわたり適正な筆跡を得ることができ、また、肉厚の薄い定規を用いて線を引いた場合や、通常の定規でも縦に線を引く場合、繊維集束体が定規に接触せず、定規を汚すことのないマーキングペンを提供しようとするものである。【解決手段】軸筒内にインキを収容し、軸筒先端のペン体にインキを供給するマーキングペンであって、軸筒の先端部に弾発部を有する筒状のホルダーを備え、ペン体はホルダー内に設けられ、ペン体は先端に紙面と接触する筆記部を備え、ホルダーは先端に紙面と接触する接地部を備え、接地部は筆記部に対して前後方向に移動可能に構成され、非筆記時において接地部は筆記部より前方に位置し、筆記時において接地部及び筆記部は紙面と接触する。【選択図】  図１
2019010841.tif 000002
【特許請求の範囲】
【請求項１】
軸筒内にインキを収容し、前記軸筒先端のペン体に前記インキを供給するマーキングペンであって、
前記軸筒の先端部に、弾発部を有する筒状のホルダーを備え、
前記ペン体は前記ホルダー内に設けられ、
前記ペン体は先端に紙面と接触する筆記部を備え、
前記ホルダーは先端に紙面と接触する接地部を備え、
前記接地部は前記筆記部に対して前後方向に移動可能に構成され、
非筆記時において前記接地部は前記筆記部より前方に位置し、
筆記時において前記接地部及び前記筆記部は紙面と接触する
ことを特徴とするマーキングペン。
【請求項２】
前記弾発部は、前記接地部より後方において前記ホルダーと一体に形成される
ことを特徴とする請求項１記載のマーキングペン。
【請求項３】
前記弾発部は、前記接地部より後方において軸方向に伸縮可能なコイルスプリングからなることを特徴とする請求項１記載のマーキングペン。
【請求項４】
前記弾発部は、前記接地部より後方において軸方向に伸縮可能な蛇腹状部材からなることを特徴とする請求項１記載のマーキングペン。
【請求項５】
前記接地部は樹脂製である
ことを特徴とする請求項１乃至４のいずれか一項に記載のマーキングペン。
【請求項６】
前記弾発部は、非筆記時において前記筆記部より後方に位置する
ことを特徴とする請求項１乃至５のいずれか一項に記載のマーキングペン。
【請求項７】
前記ホルダーは、軸筒先端に圧入、係合、螺合、または嵌合によって固着された
ことを特徴とする請求項１乃至６のいずれか一項に記載のマーキングペン。
【発明の詳細な説明】
【技術分野】
【０００１】
本発明は、マーキングペンに関する。詳細には、軸筒内にインキを収容し、前記軸筒先端のペン体に前記インキを供給するマーキングペンに関する。
【背景技術】
【０００２】
従来、特許文献１には、接着剤を含浸させて集束した繊維集束体の外周面を合成樹脂製の被覆部材で覆うとともに、その先端側をナイフカット状に形成することで、その部分の被覆部材がそぎ落とされて前記繊維集束体を露出したナイフカット面を形成し、さらに、両側の前記ナイフカット面の交差部分に先端面を形成したマーキングペン用ペン先において、
前記先端面と前記被覆部材の外周面とが交差する箇所を軸心に対して傾斜させてカットすることで、前記被覆部材から繊維集束体の二箇所のペン先頂点部の一方を他方よりも短く突出させ、その短い方の突出寸法が０．４〜０．８ｍｍの範囲内であることを特徴とするマーキングペン用ペン先が記載されている。
【先行技術文献】
【特許文献】
【０００３】
【特許文献１】特開２００１−１８５７５号公報
【発明の概要】
【発明が解決しようとする課題】
【０００４】
前記特許文献１のマーキングペン用ペン先では、繊維集束体（本願のペン体に相当）の二箇所のペン先頂点部（鋭角部及び鈍角部の二箇所で、本願の筆記部に相当。）が、共に被覆部材から突出しているため、ペン先を保護する機能が十分でなく、ペン先頂点部が潰れたり軟化したりし易く、長期にわたり適正な筆跡を得ることができないおそれがある。
【０００５】
また、例えば金属製直尺など肉厚の薄い定規を用いて線を引いた場合、ペン先頂点部が被覆部から突出しているため、繊維集束体を露出した鈍角部側ペン先頂点部が定規に接触して、定規を汚してしまう恐れがある。また、紙面に縦方向に設置した定規を左手で押さえ、右手で、鋭角部側ペン先頂点部を定規に当接し縦に線を引く場合などは、プラスチック製定規など通常の肉厚の定規を使用したとしても、被覆部材から突出しているため、鋭角部側ペン先頂点部が定規に接触して、定規を汚してしまうおそれがある。
【０００６】
本発明は、従来の問題点を解決するものであって、
ペン先を保護する機能が十分にあり、ペン先頂点部が潰れたり軟化したりしにくく、長期にわたり適正な筆跡を得ることができ、また、肉厚の薄い定規を用いて線を引いた場合や、通常の定規でも縦に線を引く場合、繊維集束体が定規に接触せず、定規を汚すことのないマーキングペンを提供しようとするものである。
【課題を解決するための手段】
【０００７】
本願の第１の発明は、
軸筒内にインキを収容し、前記軸筒先端のペン体に前記インキを供給するマーキングペンであって、
前記軸筒の先端部に弾発部を有する筒状のホルダーを備え、
前記ペン体は前記ホルダー内に設けられ、
前記ペン体は先端に紙面と接触する筆記部を備え、
前記ホルダーは先端に紙面と接触する接地部を備え、
前記接地部は前記筆記部に対して前後方向に移動可能に構成され、
非筆記時において前記接地部は前記筆記部より前方に位置し、
筆記時において前記接地部及び前記筆記部は紙面と接触する
ことを要件とする。
【０００８】
前記第１の発明のマーキングペンは、
軸筒内にインキを収容し、前記軸筒先端のペン体に前記インキを供給するマーキングペンであって、
前記軸筒の先端部に弾発部を有する筒状のホルダーを備え、
前記ペン体は前記ホルダー内に設けられ、
前記ペン体は先端に紙面と接触する筆記部を備え、
前記ホルダーは先端に紙面と接触する接地部を備え、
前記接地部は前記筆記部に対して前後方向に移動可能に構成され、
非筆記時において前記接地部は前記筆記部より前方に位置し、
筆記時において前記接地部及び前記筆記部は紙面と接触することより、
筆記部を保護する機能が十分にあり、筆記部が潰れたり軟化したりしにくく、長期にわたり適正な筆跡を得ることができ、また、肉厚の薄い定規を用いて線を引いた場合や、通常の定規でも縦に線を引く場合でも、筆記部及びその近傍が定規に接触せず、定規を汚すことがない。
【０００９】
本願の第２の発明は、
前記弾発部は、前記接地部より後方において前記ホルダーと一体に形成される
ことを要件とする。
【００１０】
前記第２の発明のマーキングペンは、
前記弾発部は、前記接地部より後方において前記ホルダーと一体に形成されることより、
ホルダーに高い柔軟性を付与することができ、筆記部を保護する機能が十分にあるとともに、筆記時の筆記角度によらず、接地部を確実に後方に移動させることができ、筆記時に筆記部全体が紙面に当接させることができ、それにより、より長期にわたり適正な筆跡を得ることができる。
【００１１】
本願の第３の発明は、
前記弾発部は、前記接地部より後方において軸方向に伸縮可能なコイルスプリングからなることを要件とする。
【００１２】
前記第３の発明のマーキングペンは、
前記弾発部は、前記接地部より後方において軸方向に伸縮可能なコイルスプリングからなることより、
ホルダーに高い柔軟性を付与することができ、筆記部を保護する機能が十分にあるとともに、筆記時の筆記角度によらず、接地部を確実に後方に移動させることができ、筆記時に筆記部全体が紙面に当接させることができ、それにより、より長期にわたり適正な筆跡を得ることができる。
【００１３】
本願の第４の発明は、
前記弾発部は、前記接地部より後方において軸方向に伸縮可能な蛇腹状部材からなる
ことを要件とする。
【００１４】
前記第４の発明のマーキングペンは、
前記弾発部は、前記接地部より後方において軸方向に伸縮可能な蛇腹状部材からなることより、
ホルダーに高い柔軟性を付与することができ、筆記部を保護する機能が十分にあるとともに、筆記時の筆記角度によらず、接地部を確実に後方に移動させることができ、筆記時に筆記部全体が紙面に当接させることができ、それにより、より長期にわたり適正な筆跡を得ることができる。
【００１５】
本願の第５の発明は、
前記接地部は樹脂製である
ことを要件とする。
【００１６】
前記第５の発明のマーキングペンは、
前記接地部は樹脂製であることより、接地部を形成することが容易で、また、紙面との摩擦抵抗も小さく、滑らかな筆記感が得られる。
【００１７】
本願の第６の発明は、
前記弾発部は、非筆記時において前記筆記部より後方に位置する
ことを要件とする。
【００１８】
前記第６の発明のマーキングペンは、
前記弾発部は、非筆記時において前記筆記部より後方に位置することより、
接地部が紙面に接触する際に、弾発部が筆記部に干渉することが無いためより、筆記部を傷つけることなく、より筆記部が潰れたり軟化したりしにくく、より長期にわたり適正な筆跡を得ることができる。
【００１９】
本願の第７の発明は、
前記ホルダーは、軸筒先端に圧入、係合、螺合、または嵌合によって固着された
ことを要件とする。
【００２０】
前記第７の発明のマーキングペンは、
前記ホルダーは、軸筒先端に圧入、係合、螺合、または嵌合によって固着されたことより、
前記ホルダーは確実に軸筒先端に固着可能なため、より十分なペン先保護性能と安定した筆記性能が得られる。
【発明の効果】
【００２１】
本発明のマーキングペンは、ペン先を保護する機能が十分にあり、ペン先頂点部が潰れたり軟化したりしにくく、長期にわたり適正な筆跡を得ることができ、また、肉厚の薄い定規を用いて線を引いた場合や、通常の定規でも縦に線を引く場合、繊維集束体が定規に接触せず、定規を汚すことがない。
【図面の簡単な説明】
【００２２】
【図１】本発明のホルダーを備えたマーキングペンの第１の実施の形態の図である。
【図２】図１の要部拡大縦断面図である。
【図３】本発明の第１の実施の形態のホルダー近傍の（ａ）正面図及び（ｂ）底面図である。
【図４】図３の要部拡大図である。
【図５】図４の切断線Ａ−Ａ、切断線Ｂ−Ｂ及び切断線Ｃ−Ｃにおける（Ａ−Ａ）断面図、（Ｂ−Ｂ）断面図及び（Ｃ−Ｃ）断面図である。
【図６】本発明の第１の実施の形態の要部拡大斜視図である。
【図７】本発明の第１の実施の形態の筆記時における要部拡大図である。
【図８】本発明の第２の実施の形態のホルダー近傍の（ａ）正面図及び（ｂ）底面図である。
【図９】図８の要部拡大図である。
【図１０】図９の切断線Ｄ−Ｄ、切断線Ｅ−Ｅ及び切断線Ｆ−Ｆにおける（Ｄ−Ｄ）断面図、（Ｅ−Ｅ）断面図及び（Ｆ−Ｆ）断面図である。
【図１１】本発明の第２の実施の形態の要部拡大斜視図である。
【図１２】本発明の第３の実施の形態のホルダー近傍の（ａ）正面図及び（ｂ）底面図である。
【図１３】図１２の要部拡大図である。
【図１４】図１３の切断線Ｇ−Ｇ、切断線Ｈ−Ｈ及び切断線Ｉ−Ｉにおける（Ｇ−Ｇ）断面図、（Ｈ−Ｈ）断面図及び（Ｉ−Ｉ）断面図である。
【図１５】本発明の第３の実施の形態の要部拡大斜視図である。
【図１６】本発明の第４の実施の形態のホルダー近傍の（ａ）正面図及び（ｂ）底面図である。
【図１７】図１６の要部拡大縦断面図である。
【図１８】本発明の第４の実施の形態の要部拡大斜視図である。
【図１９】本発明の第５の実施の形態のホルダー近傍の（ａ）正面図及び（ｂ）底面図である。
【図２０】図１９の要部拡大縦断面図である。
【図２１】本発明の第５の実施の形態の要部拡大斜視図である。
【図２２】本発明の第６の実施の形態の要部拡大斜視図である。
【発明を実施するための形態】
【００２３】
本発明のマーキングペンの実施の形態を図１乃至図２２に示す。
【００２４】
〈第１の実施の形態〉
図１乃至図７に本発明の第１の実施の形態を示す。
本実施の形態のマーキングペン１は、キャップと筆記具本体２とからなり、筆記具本体２がインキを直接収容する軸筒２１と、ペン体３と、インキ保留部材５と、ペン体３及びインキ保留部材５とを結合させる結合部材７と、結合部材７外面に結合される、弾発部４１を有する筒状のホルダー４と、軸筒２１中のインキをペン体３に誘導するインキ誘導芯６を備える。
【００２５】
・軸筒
軸筒２１は、合成樹脂の射出成形より得られる前端が開口され且つ後端が閉鎖された有底円筒体からなる。軸筒２１の前端開口部２１ａの内面は、インキ保留部材５が嵌合される。
【００２６】
・インキ収容部
インキ収容部２１ｂは、軸筒２１の内部のインキ保留部材５の後方に形成される。インキ収容部２１ｂの内周面には、軸方向に延びる４本のリブ２１ｃが等間隔に一体に形成される。また、リブ２１ｃはインキ保留部材５のストッパも兼ねる。
【００２７】
・ペン体
ペン体３は、前端に筆記部３４を有し、筆記先端部３１の両側に先細傾斜面３２を有し、後端に嵌合部３３を有する。ペン体３は、後方に開口する内孔３３ａを備え、該内孔３３ａにインキ誘導芯６が挿着される。
【００２８】
ペン体３は、多数の毛細間隙を有する材料からなることが好ましく、例えば、繊維加工体または合成樹脂多孔質体が有効である。前記繊維加工体としては、具体的には、繊維束の樹脂加工体、繊維束の熱融着加工体、フェルトの樹脂加工体、フェルトのニードルパンチ加工体等を挙げることができ、前記合成樹脂多孔質体としては、具体的には、ポリオレフィン系、ポリウレタン系、その他各種の合成樹脂の連続気孔体等が挙げられる。
【００２９】
・インキ誘導芯
インキ誘導芯６は、ペン体３の内孔３３ａに挿着される。インキ誘導芯６は毛細管力を有する軸方向のインキ導出路を備えるものであればいずれであってもよく、本実施例では、繊維の樹脂加工により得られる棒状体が採用されているが、これ以外にも、例えば、多孔質体、剛性樹脂の押出成形体が挙げられる。
【００３０】
・インキ保留部材
インキ保留部材５は、インキ収容部２１ｂ内の圧力上昇に応じた余剰インキを一時的に保持する部材である。インキ保留部材５は、複数の櫛歯よりなるインキ保留部５１(櫛溝部)と、該インキ保留部５１の後端と、インキ保留部５１の前端より前方に突出された取付部５３とが、一体に形成された合成樹脂（例えば、ＡＢＳ樹脂）の射出成形体よりなる。また、インキ保留部材５の軸心には、軸方向に延び且つ両端が開口された軸心孔５２が設けられる。軸心孔５２にはインキ誘導芯６が挿着される。取付部５３の外面には、結合部材７の内面が取り付けられる。尚、本考案におけるインキ保留部材５は、構成以外にも、インキ保留部５１が螺旋状溝や迷路状溝からなるもの、あるいは、インキ保留部５１が繊維材料または多孔質材料からなるもの等、いずれであってもよい。また、取付部５３（インキ保留部材５）と結合部材７は一体成型品であると部品点数が減ってより好ましい。
【００３１】
軸心孔５２には、インキ誘導芯６が挿着される。インキ誘導芯６の前端は、ペン体３に接続され、インキ誘導芯６の後端は、インキ保留部材５の後端面と略一致または突出している。
【００３２】
・ホルダー
ホルダー４は、例えば、金属の切削加工または合成樹脂の切削加工または合成樹脂の射出成形より得られる円筒体からなる。ホルダー４は、弾発部４１と結合部材取付部４２と接地部４４とを備える。ホルダー４は、側壁４３に弾発部４１を有する。ホルダー４の後方の結合部材取付部４２内面と結合部材７の外面が嵌合される。
【００３３】
ホルダー４は、金属または合成樹脂材からなるものであればよく、前記合成樹脂材料として例えば、ポリプロピレン、ポリエチレン、ポリスチレン、ポリカーボネート、ポリエチレンテレフタレート、ポリアセタール、アクリル、ナイロン、アクリロニトリル・スチレン共重合樹脂（ＡＳ樹脂）、アクリロニトリル・ブタジエン・スチレン共重合樹脂（ＡＢＳ樹脂）等の比較的硬質な合成樹脂が例示できる。また、金属であればアルミニウム合金が例示できる。
【００３４】
・弾発部
ホルダー４の結合部材取付部４２より前方の側壁４３に貫通し、軸方向に異なる位置に形成される半円状の複数の切欠４３ａが形成され、切欠４３ａ相互間に鍔部４３ｂが形成される。また、鍔部４３ｂ相互間は連結部４３ｃによって連結される。
【００３５】
図３の様に、筆記部３４の長辺方向Ｘに垂直に貫通し、長辺方向Ｘに開口する切欠４３ａと、筆記部３４の短辺方向Ｙに垂直に貫通し、短辺方向Ｙに開口する切欠４３ａが軸方向に交互に形成されているため、筆記時に鍔部が撓んでホルダー４の弾発部４１に軸方向の柔軟性を付与することができる。なお、弾発部４１の柔軟性は、切欠４３ａの寸法や数量によって任意の強さに設定することができる。
【００３６】
図７の様に、ホルダー４に軸方向の柔軟性を付与することで、筆記時にホルダー４の接地部４４が紙面に当接するとともに、筆記部３４全体が紙面に当接する。それにより安定した筆記性能が得られるとともに、筆記先端部３１に過度な筆圧が掛からないため筆記先端部３１が潰れることを防ぐことができる。また、肉厚の薄い定規を用いて線を引いた場合や、通常の定規でも縦に線を引く場合でも、ペン体３の頂点部側にホルダー４の接地部４４があるため、ペン体３が定規に接触せず、定規を汚すことがない。
【００３７】
〈第２の実施の形態〉
図８乃至図１１に本発明の第２の実施の形態を示す。
図８の様に、
筆記部３４の長辺方向Ｘに垂直に貫通し、長辺方向Ｘに開口する異形の切欠４３ａと、筆記部３４の短辺方向Ｙに垂直に貫通し、短辺方向Ｙに開口する異形の切欠４３ａが軸方向に交互に形成されている場合、ホルダー４に前記第３の実施の形態と同様の柔軟性を付与することができるとともに、同様の効果も得られる。
【００３８】
切欠４３ａは帯状の形態に関わらず、ホルダー４に柔軟性を付与することができれば任意の形状で設定することができる。
【００３９】
〈第３の実施の形態〉
図１２乃至図１５に本発明の第３の実施の形態を示す。
図１２の様に、
側壁４３に、径方向外方及び径方向内方に開口する少なくとも１つ以上の螺旋状の切欠４３ａが形成されている場合、つまり側壁４３に少なくとも１つ以上の切欠４３ａが螺刻されている場合、ホルダー４に前記第３の実施の形態と同様の柔軟性を付与することができるとともに、同様の効果も得られる。
【００４０】
側壁４３に、切欠４３ａが螺刻されている場合、螺旋状の連結部４３ｃ（または鍔部４３ｂ）が形成される。
【００４１】
〈第４の実施の形態〉
図１６乃至図１８に本発明の第４の実施の形態を示す。
ホルダー４が側壁４３において分離可能な二部品にて構成され、弾発部４１としてコイルスプリング４３ｄを備える。分離された前方の側壁４３外面、及び分離された後方の側壁４３内面に、コイルスプリング４３ｄが嵌着され、コイルスプリング４３ｄは軸方向の弾発力を備えるため、ホルダー４全体に柔軟性を付与することができる。
【００４２】
また、コイルスプリング４３ｄは、金属線材（例えば、ステンレス鋼製線材）を螺旋状（コイル状）に巻回された圧縮コイルスプリング、または合成樹脂により成形された圧縮コイルスプリングよりなる。
【００４３】
〈第５の実施の形態〉
図１９乃至図２１に本発明の第５の実施の形態を示す。
ホルダー４が側壁４３において分離可能な二部品にて構成され、弾発部４１として蛇腹状部材４３ｅを備える。分離された前方の側壁４３外面及び分離された後方の側壁４３外面に、蛇腹状部材４３ｅが嵌着され、蛇腹状部材４３ｅは軸方向の弾発力を備えるため、ホルダー４全体に柔軟性を付与することができる。
【００４４】
また、蛇腹状部材４３ｅは、合成樹脂（例えば、ポリプロピレン、ポリエチレン、エラストマー等）により一体に形成される。
【００４５】
〈第６の実施の形態〉
図２２に本発明の第６の実施の形態を示す。
ホルダー４と結合部材７は、圧入、係合、螺合、または嵌合で、取外し可能な状態で固着される。それにより、定規汚れ防止や筆記部３４（ペン先）保護を優先させる場合はホルダー４を装着した状態でマーキングペン１を使用し、狭い部分への筆記などを行う場合はホルダー４を外した状態でマーキングペン１を使用することができる。すなわち、ホルダー４は軸筒２１先端（結合部材７）に対して着脱自在であると、使用上の自由度が高まりより好ましい。
【符号の説明】
【００４６】
１  マーキングペン
２  筆記具本体
２１  軸筒
２１ａ  前端開口部
２１ｂ  インキ収容部
２１ｃ  リブ
３  ペン体
３１  筆記先端部
３２  先細傾斜面
３３  嵌合部
３３ａ  内孔
３４  筆記部
４  ホルダー
４１  弾発部
４２  結合部材取付部
４３  側壁
４３ａ  切欠
４３ｂ  鍔部
４３ｃ  連結部
４３ｄ  コイルスプリング
４３ｅ  蛇腹状部材
４４  接地部
５  インキ保留部材
５１  インキ保留部
５２  軸心孔
５３  取付部
６  インキ誘導芯
７  結合部材
【図１】
2019010841.tif 000003
【図２】
2019010841.tif 000004
【図３】
2019010841.tif 000005
【図４】
2019010841.tif 000006
【図５】
2019010841.tif 000007
【図６】
2019010841.tif 000008
【図７】
2019010841.tif 000009
【図８】
2019010841.tif 000010
【図９】
2019010841.tif 000011
【図１０】
2019010841.tif 000012
【図１１】
2019010841.tif 000013
【図１２】
2019010841.tif 000014
【図１３】
2019010841.tif 000015
【図１４】
2019010841.tif 000016
【図１５】
2019010841.tif 000017
【図１６】
2019010841.tif 000018
【図１７】
2019010841.tif 000019
【図１８】
2019010841.tif 000020
【図１９】
2019010841.tif 000021
【図２０】
2019010841.tif 000022
【図２１】
2019010841.tif 000023
【図２２】
2019010841.tif 000024